【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
空調装置に適用される冷凍サイクル装置であって、
冷媒を圧縮して吐出する圧縮機（１１）と、
前記圧縮機から吐出された高圧冷媒と空調対象空間へ送風される送風空気とを熱交換させて、前記送風空気を加熱する加熱用熱交換器（１２）と、
前記加熱用熱交換器から流出した冷媒を減圧させる減圧装置（１４ａ）と、
前記減圧装置にて減圧された低圧冷媒と外気とを熱交換させる室外熱交換器（２０）と、
前記減圧装置の作動を制御する減圧装置制御部（４０ｂ）と、
前記加熱用熱交換器から流出する冷媒の目標過冷却度（ＳＣＯ）を決定する目標過冷却度決定部（Ｓ９）と、
サイクルを循環する冷媒の循環冷媒流量が予め定めた基準流量よりも低下した低流量運転になっていることを判定する低流量運転判定部（Ｓ４１〜Ｓ４３）と、を備え、
前記減圧装置制御部は、前記加熱用熱交換器から流出する冷媒が前記目標過冷却度（ＳＣＯ）に近づくように前記減圧装置の作動を制御するものであり、
前記目標過冷却度決定部は、前記低流量運転判定部が前記低流量運転になっていることを判定した際に、前記目標過冷却度（ＳＣＯ）を低下させるものであり、
前記低流量運転判定部（Ｓ４１）は、外気温（Ｔａｍ）が予め定めた基準外気温（ＫＴａｍ）以上になった際に、前記低流量運転になっていることを判定するものである冷凍サイクル装置。
【請求項２】
車両用空調装置に適用される冷凍サイクル装置であって、
冷媒を圧縮して吐出する圧縮機（１１）と、
前記圧縮機から吐出された高圧冷媒と空調対象空間へ送風される送風空気とを熱交換させて、前記送風空気を加熱する加熱用熱交換器（１２）と、
前記加熱用熱交換器から流出した冷媒を減圧させる減圧装置（１４ａ）と、
前記減圧装置にて減圧された低圧冷媒と外気とを熱交換させる室外熱交換器（２０）と、
前記減圧装置の作動を制御する減圧装置制御部（４０ｂ）と、
前記加熱用熱交換器から流出する冷媒の目標過冷却度（ＳＣＯ）を決定する目標過冷却度決定部（Ｓ９）と、
サイクルを循環する冷媒の循環冷媒流量が予め定めた基準流量よりも低下した低流量運転になっていることを判定する低流量運転判定部（Ｓ４１〜Ｓ４３）と、
前記加熱用熱交換器の熱交換部のうち、中間部よりも冷媒流れ上流側の部位にて加熱された前記送風空気を吹き出す第１吹出モードと前記加熱用熱交換器の熱交換部のうち中間部よりも冷媒流れ下流側の部位にて加熱された前記送風空気を吹き出す第２吹出モードとを切り替える吹出モード切替装置（３８ａ〜３８ｃ）と、を備え、
前記減圧装置制御部は、前記加熱用熱交換器から流出する冷媒が前記目標過冷却度（ＳＣＯ）に近づくように前記減圧装置の作動を制御するものであり、
前記目標過冷却度決定部は、前記低流量運転判定部が前記低流量運転になっていることを判定した際に、前記目標過冷却度（ＳＣＯ）を低下させるものであり、
前記目標過冷却度決定部は、前記低流量運転判定部が前記低流量運転になっていることを判定し、かつ、前記吹出モード切替装置が第２吹出モードに切り替えている際に、前記目標過冷却度（ＳＣＯ）を低下させるものである冷凍サイクル装置。
【請求項３】
空調装置に適用される冷凍サイクル装置であって、
冷媒を圧縮して吐出する圧縮機（１１）と、
前記圧縮機から吐出された高圧冷媒と空調対象空間へ送風される送風空気とを熱交換させて、前記送風空気を加熱する加熱用熱交換器（１２）と、
前記加熱用熱交換器から流出した冷媒を減圧させる減圧装置（１４ａ）と、
前記減圧装置にて減圧された低圧冷媒と外気とを熱交換させる室外熱交換器（２０）と、
前記減圧装置の作動を制御する減圧装置制御部（４０ｂ）と、
前記加熱用熱交換器から流出する冷媒の目標過冷却度（ＳＣＯ）を決定する目標過冷却度決定部（Ｓ９）と、
サイクルを循環する冷媒の循環冷媒流量が予め定めた基準流量よりも低下した低流量運転になっていることを判定する低流量運転判定部（Ｓ４１〜Ｓ４３）と、
前記加熱用熱交換器へ前記送風空気を送風する送風機（３２）と、
前記送風機の送風能力を制御する送風機制御部（４０ｅ）と、を備え、
前記減圧装置制御部は、前記加熱用熱交換器から流出する冷媒が前記目標過冷却度（ＳＣＯ）に近づくように前記減圧装置の作動を制御するものであり、
前記目標過冷却度決定部は、前記低流量運転判定部が前記低流量運転になっていることを判定した際に、前記目標過冷却度（ＳＣＯ）を低下させるものであり、
前記送風機制御部は、前記低流量運転判定部が前記低流量運転になっていることを判定した際に、前記送風機の送風能力を増加させるものである冷凍サイクル装置。
【請求項４】
前記低流量運転判定部（Ｓ４１）は、外気温（Ｔａｍ）が予め定めた基準外気温（ＫＴａｍ）以上になった際に、前記低流量運転になっていることを判定するものである請求項２または３に記載の冷凍サイクル装置。
【請求項５】
前記室外熱交換器へ外気を送風する外気ファン（２０ａ）と、
前記外気ファンの送風能力を制御する外気ファン制御部（４０ｄ）と、を備え、
前記外気ファン制御部は、前記低流量運転判定部が前記低流量運転になっていることを判定した際に、前記外気ファンの送風能力を低下させるものである請求項１ないし４のいずれか１つに記載の冷凍サイクル装置。
【請求項６】
空調装置に適用される冷凍サイクル装置であって、
冷媒を圧縮して吐出する圧縮機（１１）と、
前記圧縮機から吐出された高圧冷媒と空調対象空間へ送風される送風空気とを熱交換させて、前記送風空気を加熱する加熱用熱交換器（１２）と、
前記加熱用熱交換器から流出した冷媒を減圧させる減圧装置（１４ａ）と、
前記減圧装置にて減圧された低圧冷媒と外気とを熱交換させる室外熱交換器（２０）と、
前記減圧装置の作動を制御する減圧装置制御部（４０ｂ）と、
前記加熱用熱交換器から流出する冷媒の目標過冷却度（ＳＣＯ）を決定する目標過冷却度決定部（Ｓ９）と、
サイクルを循環する冷媒の循環冷媒流量が予め定めた基準流量よりも低下した低流量運転になっていることを判定する低流量運転判定部（Ｓ４１〜Ｓ４３）と、
前記圧縮機の冷媒吐出能力を制御する吐出能力制御部（４０ａ）と、
前記室外熱交換器へ外気を送風する外気ファン（２０ａ）と、
前記外気ファンの送風能力を制御する外気ファン制御部（４０ｄ）と、を備え、
前記減圧装置制御部は、前記加熱用熱交換器から流出する冷媒が前記目標過冷却度（ＳＣＯ）に近づくように前記減圧装置の作動を制御するものであり、
前記目標過冷却度決定部は、前記低流量運転判定部が前記低流量運転になっていることを判定した際に、前記目標過冷却度（ＳＣＯ）を低下させるものであり、
前記吐出能力制御部は、前記加熱用熱交換器へ流入する冷媒の圧力が目標凝縮圧力（ＰＤＯ）となるように、前記圧縮機の冷媒吐出能力を制御するものであり、
前記外気ファン制御部は、前記低流量運転判定部が前記低流量運転になっていることを判定した際に、前記外気ファンの送風能力を低下させるものである冷凍サイクル装置。
【請求項７】
前記低流量運転判定部（Ｓ４２）は、前記加熱用熱交換器へ流入する前記送風空気の流入空気温度（ＴＡｉｎ）が予め定めた基準流入温度（ＫＴＡｉｎ）以上になった際に、前記低流量運転になっていることを判定するものである請求項１ないし６のいずれか１つに記載の冷凍サイクル装置。
【請求項８】
前記低流量運転判定部（Ｓ４３）は、前記圧縮機１１の冷媒吐出能力が予め定めた基準吐出能力以下になった際に、前記低流量運転になっていることを判定するものである請求項１ないし７のいずれか１つに記載の冷凍サイクル装置。
【手続補正２】
【補正対象書類名】明細書
【補正対象項目名】０００８
【補正方法】変更
【補正の内容】
【０００８】
上記目的を達成するため、請求項１に記載の発明は、空調装置に適用される冷凍サイクル装置であって、
冷媒を圧縮して吐出する圧縮機（１１）と、圧縮機から吐出された高圧冷媒と空調対象空間へ送風される送風空気とを熱交換させて、送風空気を加熱する加熱用熱交換器（１２）と、加熱用熱交換器から流出した冷媒を減圧させる減圧装置（１４ａ）と、減圧装置にて減圧された低圧冷媒と外気とを熱交換させる室外熱交換器（２０）と、減圧装置の作動を制御する減圧装置制御部（４０ｂ）と、加熱用熱交換器から流出する冷媒の目標過冷却度（ＳＣＯ）を決定する目標過冷却度決定部（Ｓ９）と、サイクルを循環する冷媒の循環冷媒流量が予め定めた基準流量よりも低下した低流量運転になっていることを判定する低流量運転判定部（Ｓ４１〜Ｓ４３）と、を備え、
減圧装置制御部は、加熱用熱交換器から流出する冷媒が目標過冷却度（ＳＣＯ）に近づくように減圧装置の作動を制御するものであり、目標過冷却度決定部は、低流量運転判定部が低流量運転になっていることを判定した際に、目標過冷却度（ＳＣＯ）を低下させるものであり、低流量運転判定部（Ｓ４１）は、外気温（Ｔａｍ）が予め定めた基準外気温（ＫＴａｍ）以上になった際に、低流量運転になっていることを判定する冷凍サイクル装置である。
【手続補正３】
【補正対象書類名】明細書
【補正対象項目名】００１０
【補正方法】変更
【補正の内容】
【００１０】
さらに、低流量運転になっていると判定されていない際には、ＣＯＰを向上させるように目標過冷却度（ＳＣＯ）を決定することで、冷凍サイクル装置に高いＣＯＰを発揮させることができる。
また、請求項２に記載の発明は、車両用空調装置に適用される冷凍サイクル装置であって、
冷媒を圧縮して吐出する圧縮機（１１）と、圧縮機から吐出された高圧冷媒と空調対象空間へ送風される送風空気とを熱交換させて、送風空気を加熱する加熱用熱交換器（１２）と、加熱用熱交換器から流出した冷媒を減圧させる減圧装置（１４ａ）と、減圧装置にて減圧された低圧冷媒と外気とを熱交換させる室外熱交換器（２０）と、減圧装置の作動を制御する減圧装置制御部（４０ｂ）と、加熱用熱交換器から流出する冷媒の目標過冷却度（ＳＣＯ）を決定する目標過冷却度決定部（Ｓ９）と、サイクルを循環する冷媒の循環冷媒流量が予め定めた基準流量よりも低下した低流量運転になっていることを判定する低流量運転判定部（Ｓ４１〜Ｓ４３）と、加熱用熱交換器の熱交換部のうち、中間部よりも冷媒流れ上流側の部位にて加熱された送風空気を吹き出す第１吹出モードと加熱用熱交換器の熱交換部のうち中間部よりも冷媒流れ下流側の部位にて加熱された送風空気を吹き出す第２吹出モードとを切り替える吹出モード切替装置（３８ａ〜３８ｃ）と、を備え、
減圧装置制御部は、加熱用熱交換器から流出する冷媒が目標過冷却度（ＳＣＯ）に近づくように減圧装置の作動を制御するものであり、目標過冷却度決定部は、低流量運転判定部が低流量運転になっていることを判定した際に、目標過冷却度（ＳＣＯ）を低下させるものであり、目標過冷却度決定部は、低流量運転判定部が低流量運転になっていることを判定し、かつ、吹出モード切替装置が第２吹出モードに切り替えている際に、目標過冷却度（ＳＣＯ）を低下させる冷凍サイクル装置である。
これによれば、請求項１に記載の発明と同様の効果を得ることができる。
また、請求項３に記載の発明は、空調装置に適用される冷凍サイクル装置であって、
冷媒を圧縮して吐出する圧縮機（１１）と、圧縮機から吐出された高圧冷媒と空調対象空間へ送風される送風空気とを熱交換させて、送風空気を加熱する加熱用熱交換器（１２）と、加熱用熱交換器から流出した冷媒を減圧させる減圧装置（１４ａ）と、減圧装置にて減圧された低圧冷媒と外気とを熱交換させる室外熱交換器（２０）と、減圧装置の作動を制御する減圧装置制御部（４０ｂ）と、加熱用熱交換器から流出する冷媒の目標過冷却度（ＳＣＯ）を決定する目標過冷却度決定部（Ｓ９）と、サイクルを循環する冷媒の循環冷媒流量が予め定めた基準流量よりも低下した低流量運転になっていることを判定する低流量運転判定部（Ｓ４１〜Ｓ４３）と、加熱用熱交換器へ送風空気を送風する送風機（３２）と、送風機の送風能力を制御する送風機制御部（４０ｅ）と、を備え、
減圧装置制御部は、加熱用熱交換器から流出する冷媒が目標過冷却度（ＳＣＯ）に近づくように減圧装置の作動を制御するものであり、目標過冷却度決定部は、低流量運転判定部が低流量運転になっていることを判定した際に、目標過冷却度（ＳＣＯ）を低下させるものであり、送風機制御部は、低流量運転判定部が低流量運転になっていることを判定した際に、送風機の送風能力を増加させる冷凍サイクル装置である。
これによれば、請求項１に記載の発明と同様の効果を得ることができる。
また、請求項６に記載の発明は、空調装置に適用される冷凍サイクル装置であって、
冷媒を圧縮して吐出する圧縮機（１１）と、圧縮機から吐出された高圧冷媒と空調対象空間へ送風される送風空気とを熱交換させて、送風空気を加熱する加熱用熱交換器（１２）と、加熱用熱交換器から流出した冷媒を減圧させる減圧装置（１４ａ）と、減圧装置にて減圧された低圧冷媒と外気とを熱交換させる室外熱交換器（２０）と、減圧装置の作動を制御する減圧装置制御部（４０ｂ）と、加熱用熱交換器から流出する冷媒の目標過冷却度（ＳＣＯ）を決定する目標過冷却度決定部（Ｓ９）と、サイクルを循環する冷媒の循環冷媒流量が予め定めた基準流量よりも低下した低流量運転になっていることを判定する低流量運転判定部（Ｓ４１〜Ｓ４３）と、圧縮機の冷媒吐出能力を制御する吐出能力制御部（４０ａ）と、室外熱交換器へ外気を送風する外気ファン（２０ａ）と、外気ファンの送風能力を制御する外気ファン制御部（４０ｄ）と、を備え、
減圧装置制御部は、加熱用熱交換器から流出する冷媒が目標過冷却度（ＳＣＯ）に近づくように減圧装置の作動を制御するものであり、目標過冷却度決定部は、低流量運転判定部が低流量運転になっていることを判定した際に、目標過冷却度（ＳＣＯ）を低下させるものであり、外気ファン制御部は、低流量運転判定部が低流量運転になっていることを判定した際に、外気ファンの送風能力を低下させるものであり、吐出能力制御部は、加熱用熱交換器へ流入する冷媒の圧力が目標凝縮圧力（ＰＤＯ）となるように、圧縮機の冷媒吐出能力を制御する冷凍サイクル装置である。
これによれば、請求項１に記載の発明と同様の効果を得ることができる。
【手続補正４】
【補正対象書類名】図面
【補正対象項目名】図４
【補正方法】変更
【補正の内容】
【図４】
2018077029.tif 000001